(57)【特許請求の範囲】
【請求項１】
台車上に載置された物品を覆うことによって当該台車とともに当該物品を収容状態とする物品収容カバーであって、
おもて側シートと、裏側シートと、一対のマチ用シートとを有し、
前記おもて側シートの上縁部と前記裏側シートの上縁部とは、内側に折り曲げられた一対の前記マチ用シートの上縁部を挟んで結合され、
前記おもて側シートの左右の一対の側縁部と、一対の前記マチ用シートのおもて側の側縁部とが結合され、
前記裏側シートの左右の一対の側縁部と、一対の前記マチ用シートの裏側の側縁部とが結合され、
当該物品収容カバー上部には、フラップが設けられており、
前記おもて側シート又は前記裏側シートには、当該おもて側シート又は当該裏側シートの高さ方向に延び、その高さ方向における種々の位置に前記フラップが着脱可能に結合される自在被結合部が設けられている、
物品収容カバー。
【請求項２】
請求項１に記載の物品収容カバーであって、
前記フラップが、面ファスナ（オス）及び面ファスナ（メス）のうちの一方であり、
前記自在被結合部が、面ファスナ（オス）及び面ファスナ（メス）のうちの他方である、
物品収容カバー。
【請求項３】
請求項１又は請求項２に記載の物品収容カバーであって、
前記裏側シート又は前記おもて側シートの左右の一対の側縁部と、一対の前記マチ用シートの裏側又はおもて側の側縁部とは、ファスナを介して開閉可能に結合されている、
物品収容カバー。
【請求項４】
請求項１〜請求項３のいずれかに記載の物品収容カバーであって、
前記おもて側シート、前記裏側シート、前記マチ用シートのうちのいずれかの下縁部に、下縁部フラップが設けられており、
前記おもて側シート、前記裏側シート、前記マチ用シートのうちのいずれかの下縁部に、前記下縁部フラップが着脱可能に結合される下縁部被結合部が設けられている、
物品収容カバー。
【発明の詳細な説明】
【技術分野】
【０００１】
本発明は、物品が収容されるカバーに関するものである。
【背景技術】
【０００２】
各種の物品を搬送等するために、台車が使用される場合がある。台車を用いることによって、重い物品も容易に搬送することができる。
一方、物品を断熱（保温又は保冷）状態で輸送したり、遮光・雨よけ状態で輸送する際には、その物品をケースに収容したり、カバーで被覆する場合がある。
【０００３】
そして、台車を使用して物品を断熱・遮光・雨よけ状態で輸送する場合には、断熱・遮光・防水効果を有するシートによって形成され袋状をなし下部が開口した物品収容カバーが使用される場合がある。
台車に載置された物品に対して、そのカバーを被せることによって、そのカバー及び台車によって形成されるほぼ閉じた空間内に、その物品を収容するのである。
【０００４】
ところで、台車に載置されカバーに覆われて搬送される物品の高さ（複数の物品が積層される場合は当該物品の数）には、種々の場合がある。
すなわち、物品の高さが高い（物品の数の多い）場合には、高さの高いカバーが必要である一方で、物品の高さが低い（物品の数の少ない）場合には、高さの低いカバーで足りるとともに、高さの高いカバーではかえって邪魔である。
【０００５】
このため、従来においては、搬送される物品の高さ（物品の数）に応じて種々の高さのカバーが用意されていた。
しかしながら、種々の高さのカバーを用意するのは煩雑であるとともに、コスト高となる。
【０００６】
なお、本発明の属する技術分野において、特許文献１に開示された先行技術も存在している。
【先行技術文献】
【特許文献】
【０００７】
【特許文献１】特開２０１０−２５４３１１号公報
【発明の概要】
【発明が解決しようとする課題】
【０００８】
本発明は、搬送される物品を台車とともに収容状態とするカバーであって、種々の高さ（種々の数）の物品にも適切に対応可能なものを提供することを課題とする。
【課題を解決するための手段】
【０００９】
この課題を解決するために、請求項１に係る発明は、台車上に載置された物品を覆うことによって当該台車とともに当該物品を収容状態とする物品収容カバーであって、おもて側シートと、裏側シートと、一対のマチ用シートとを有し、前記おもて側シートの上縁部と前記裏側シートの上縁部とは、内側に折り曲げられた一対の前記マチ用シートの上縁部を挟んで結合され、前記おもて側シートの左右の一対の側縁部と、一対の前記マチ用シートのおもて側（おもて側シートの側）の側縁部とが結合され、前記裏側シートの左右の一対の側縁部と、一対の前記マチ用シートの裏側（裏側シートの側）の側縁部とが結合され、当該物品収容カバー上部には、フラップが設けられており、前記おもて側シート又は前記裏側シートには、当該おもて側シート又は当該裏側シートの高さ方向に延び、その高さ方向における種々の位置に前記フラップが着脱可能に結合される自在被結合部が設けられている、物品収容カバーである。
【００１０】
この発明の物品収容ケースでは、次のように使用されて、次のような作用効果が得られる。
マチ用シートが折り畳み状態ではない状態（平面状態又はそれに近い状態等）とされることによって、おもて側シートと裏側シートとが離隔し、その上部を除く全体がほぼ直方体状となり、物品収容可能状態となる。
その状態の物品収容カバーを台車上に載置された物品に対して被せることによって、物品を収容状態とする。
【００１１】
そして、物品収容カバーの内部空間のうちの物品よりも上の部分が所定以上に余っている場合には、その余剰部分における一対のマチ用シートを折り畳み状態（又はそれに近い状態）とされることによって、おもて側シートと裏側シートとが相互に接近した状態となって略一平面状部が形成され、その略一平面状部がおもて側シート又は裏側シートの側に折り畳まれ、フラップが自在被結合部（そのうちのできるだけ下の部分又は最下部）に対して結合される。
このようにして、物品収容カバーのうちの余剰部分（又はその一部）が、折り畳み状態でおもて側シートに対して重ねられて結合される。
こうして、この物品収容カバーは、台車とともに物品を収容しつつ、基本的に、最小限の大きさとなる。
このため、この物品収容カバーは、高さの高い物品の場合（物品の数が多い場合）にも、高さの低い物品の場合（物品の数が少ない場合）にも対応可能であるとともに、後者の場合には、物品の高さ（又は数）に応じて小さくなるために、邪魔とはならない。
【００１２】
請求項２に係る発明は、請求項１に係る発明の物品収容カバーであって、前記フラップが、面ファスナ（オス）及び面ファスナ（メス）のうちの一方であり、前記自在被結合部が、面ファスナ（オス）及び面ファスナ（メス）のうちの他方である、物品収容カバーである。
【００１３】
この発明の物品収容カバーは、請求項１に係る発明の物品収容カバーの作用効果に加えて、次の作用効果が得られる。
すなわち、この発明の物品収容カバーでは、フラップ及び自在被結合部が面ファスナによるものであるため、フラップは、容易に、自在被結合部のうちの任意の位置（おもて側シートの高さ方向における任意の位置）に着脱可能に結合される。
こうして、請求項１に係る発明の物品収容カバーの効果がより容易に得られる。
【００１４】
請求項３に係る発明は、請求項１又は請求項２に係る発明の物品収容カバーであって、前記裏側シート又は前記おもて側シートの左右の一対の側縁部と、一対の前記マチ用シートの裏側又はおもて側の側縁部とは、ファスナを介して開閉可能に結合されている、物品収容カバーである。
【００１５】
この発明の物品収容カバーは、請求項１又は請求項２に係る発明の物品収容カバーの作用効果に加えて、次の作用効果が得られる。
すなわち、この発明の物品収容カバーでは、台車上の物品を覆おうとする際に、予めファスナが開状態とされ、裏側シート又はおもて側シートの側縁部とマチ用シートの裏側又はおもて側の側縁部とが非結合状態とされることによって、物品を覆う作業を容易に行うことができる。
その作業終了後には、ファスナは閉状態とされ、裏側シート又はおもて側シートの側縁部とマチ用シートの裏側又はおもて側の側縁部とが結合状態とされ、物品を収容状態とすることができる。
【００１６】
請求項４に係る発明は、請求項１〜請求項３のいずれかに係る発明の物品収容カバーであって、前記おもて側シート、前記裏側シート、前記マチ用シートのうちのいずれかの下縁部に、下縁部フラップが設けられており、前記おもて側シート、前記裏側シート、前記マチ用シートのうちのいずれかの下縁部に、前記下縁部フラップが着脱可能に結合される下縁部被結合部が設けられている、物品収容カバーである。
【００１７】
この発明の物品収容カバーは、請求項１〜請求項３のいずれかに係る発明の物品収容カバーの作用効果に加えて、次の作用効果が得られる。
すなわち、この発明の物品収容カバーでは、台車上の物品を覆った状態で、下縁部フラップが下縁部被結合部に対して結合されることによって、開口状をなす当該物品収容カバーの下縁部を絞ることも可能となり、その場合は、物品をより密閉状態に近づけることが可能となり、より大きな断熱効果等を得ることが可能となる。
【図面の簡単な説明】
【００１８】
【図１Ａ】本発明の一実施例の物品収容カバーを示す斜視図（斜め前方から見た図）である。
【図１Ｂ】本発明の一実施例の物品収容カバーを示す斜視図（斜め後方から見た図）である。
【図２】本発明の一実施例の物品収容カバーを示す分解斜視図である。
【図３Ａ】本発明の一実施例の物品収容カバーの使用方法（物品の収容工程）を示す斜視図（斜め後方から見た図）である。最初の段階を示す。
【図３Ｂ】本発明の一実施例の物品収容カバーの使用方法（物品の収容工程）を示す斜視図（斜め後方から見た図）である。図３Ａの次の段階を示す。
【図３Ｃ】本発明の一実施例の物品収容カバーの使用方法（物品の収容工程）を示す斜視図（斜め後方から見た図）である。図３Ｂの次の段階を示す。
【図４Ａ】本発明の一実施例の物品収容カバーの使用状態を示す斜視図（斜め前方から見た図）である。高さの高い物品等を収容する状態を示す。
【図４Ｂ】本発明の一実施例の物品収容カバーの使用状態を示す斜視図（斜め前方から見た図）である。高さの低い物品等を収容する状態を示す。
【発明を実施するための形態】
【００１９】
次に、本発明の一実施例である物品収容カバーについて、図面に基づいて説明する。
この物品収容カバー１０（図１Ａ，図１Ｂ等）は、台車Ｃ上の物品Ｂ（図３Ａ等）を台車Ｃ（その天板）とともに形成されるほぼ閉じた空間内に収容するものである。
【００２０】
図１Ａ〜図２に示すように、この物品収容カバー１０は、おもて側シート２０，裏側シート３０，一対のマチ用シート４０を有しており、下部が開口した袋状をしている。
おもて側シート２０，裏側シート３０，一対のマチ用シート４０は、いずれも、複数枚のシートが積層されて形成されており、可撓性を有するとともに、断熱性・遮光性・防水性を有している。
【００２１】
おもて側シート２０の上縁部と裏側シート３０の上縁部とは、内側に折り曲げられた一対のマチ用シート４０の上縁部を挟んで縫い付けられて結合されている。
おもて側シート２０の左右の一対の側縁部は、一対のマチ用シート４０のおもて側（おもて側シート２０の側）の側縁部と縫い付けられて結合されている。
裏側シート３０の左右の一対の側縁部と、一対のマチ用シート４０の裏側（裏側シート３０の側）の側縁部とは、ファスナ４５を介して開閉可能に（すなわち、結合状態と非結合状態との間を変相可能に）結合されている。
【００２２】
こうして、この物品収容カバー１０は袋状をしているとともに、下部が開口している。その開口の大きさは、台車Ｃ（その天板）（図３Ａ等）の大きさに対応している。
そして、マチ用シート４０が折り曲げ状態となることによって、おもて側シート２０と裏側シート３０とが接近し、全体がほぼ一平面状となり、折り畳み状態となる。
一方、各マチ用シート４０のほぼ全体（上部を除く）がほぼ平面状となることによって、おもて側シート２０と裏側シート３０とが離隔し、その上部を除く全体がほぼ直方体状となり、物品収容可能状態となる。
【００２３】
図１Ａ〜図２に示すように、この物品収容カバー１０の上部（裏側シート３０の上部）には、一対のフラップ３５が設けられている。
各フラップ３５は、短い帯状をなす面ファスナ（オス）によって形成されている。各フラップ３５は、その基端部が裏側シート３０の上縁部に縫い付けられており、可撓性を有しているとともに、その基本状態において、裏側シート３０の長さ方向（鉛直上方）に延びている。
【００２４】
一対のフラップ３５に対応して、おもて側シート２０には、一対の自在被結合部２５が設けられている。
各自在被結合部２５は、長い帯状をなす面ファスナ（メス）によって形成されており、おもて側シート２０の長さ方向に延び、おもて側シート２０の下端部から上端部まで及んでいる。各自在被結合部２５は可撓性も有しており、おもて側シート２０の可撓性を阻害しない。
【００２５】
各マチ用シート４０の下端部のうちの裏側（裏側シート３０の側）の各側縁部（各ファスナ４５の近傍）には、下縁部フラップ４８が設けられている。
各下縁部フラップ４８は、短い帯状をなす面ファスナ（オス）によって形成されている。各下縁部フラップ４８は、その基端部がマチ用シート４０の裏側（裏側シート３０の側）の側縁部に縫い付けられており、可撓性を有しているとともに、その基本状態において、マチ用シート４０（そのうちの裏側シート３０の側の半部）の幅方向（水平方向）に延びている。
【００２６】
各下縁部フラップ４８に対応して、裏側シート３０には、下縁部被結合部３８が設けられている。
各下縁部被結合部３８は、面ファスナ（メス）によって形成されており、裏側シート３０の下端部のうちの左右の各側縁部及びその近傍に縫い付けられている。各下縁部被結合部３８も可撓性も有しており、裏側シート３０の可撓性を阻害しない。
【００２７】
次に、この物品収容カバー１０の使用方法及び作用効果について説明する。
まず、図３Ａに示すように、物品Ｂを台車Ｃの上に載置する。
次に、必要に応じて各ファスナ４５を開状態（全開とは限らない）として、裏側シート３０の左右の一対の側縁部と一対のマチ用シート４０の裏側（裏側シート３０の側）の側縁部とを非結合状態とする。
次に、図３Ａ→図３Ｂに示すように、物品Ｂ及び台車Ｃの天板に対して、物品収容カバー１０を被せる。
次に、図３Ｂ→図３Ｃに示すように、各ファスナ４５を閉状態として、裏側シート３０の左右の一対の側縁部と一対のマチ用シート４０の裏側（裏側シート３０の側）の側縁部とを結合状態とする。
こうして、その物品Ｂを物品収容カバー１０及び台車Ｃ（その天板）によって形成されるほぼ閉じた空間内に収容した状態とする。
【００２８】
次に、同じく図３Ｂ→図３Ｃに示すように、各下縁部フラップ４８を下縁部被結合部３８に対して結合する。これによって、ファスナ４５（その下端部等）において仮に隙間が存在していても、その隙間が塞がれて、より密閉性が高まる。
また、本来的に、この物品収容カバー１０（その下縁部）の開口の大きさは、台車Ｃ（その天板）の大きさに対応しているが（このことは前述）、それでもこの物品収容カバー１０（その下縁部）と台車Ｃ（その天板）との間に多少の隙間が存在する場合には、各下縁部フラップ４８を下縁部被結合部３８のうちの最も遠い部位に対して結合し、この物品収容カバー１０の下縁部を絞ることによって、その隙間を解消又は軽減させて、密閉性をより高めることができる。
【００２９】
なお、必要に応じて、台車Ｃには、物品収容カバー１０が所定の高さ位置よりも下降することを防止する機構が設けられていてもよい。
【００３０】
そして、この物品収容カバー１０は、収容される物品Ｂ（図３Ａ参照）の高さに応じて、次のように使用される。
図４Ａに示すように、物品Ｂの高さが物品収容カバー１０の高さとほぼ同一の場合は、前述のようにして使用されるのみである。
【００３１】
一方、図４Ｂに示すように、物品Ｂの高さが物品収容カバー１０の高さと比較して所定以上低い場合は、前述のように物品Ｂを収容状態とした後において、図中２点鎖線で示すように、物品収容カバー１０のうち物品Ｂよりも高い部分についてマチ用シート４０を折り曲げ状態として、おもて側シート２０と裏側シート３０とを接近させ、略一平面状部（符号省略）を形成する。
そして、図中実線で示すように、その略一平面状部をおもて側シート２０の側に折り曲げ、各フラップ３５を各自在被結合部２５に対して結合させる。すなわち、各フラップ３５を各自在被結合部２５のうちのできるだけ下の部位又は最下部に対して結合させる。
こうして、この物品収容カバー１０は、物品Ｂを収容しつつ、基本的に、最小限の大きさとなる。
こうして、この物品収容カバー１０は邪魔になることが防止される。
【００３２】
このように、この物品収容カバー１０は、収容される物品Ｂの高さに対応した高さとなり、種々の高さの物品Ｂを適切に収容することが可能となる。
【００３３】
なお、上記のものはあくまで本発明の一実施例にすぎず、当業者の知識に基づいて種々の変更を加えた態様で本発明を実施できることはもちろんである。
【００３４】
例えば、物品収容カバー１０のおもて側・裏側は、上記の実施例とは逆でもよい。各面ファスナのオス・メスも、上記の実施例とは逆でもよい。
また、台車Ｃの天板が物品収容カバー１０の下縁部の開口よりも十分に大きく、台車Ｃに載置された物品Ｂを覆う物品収容カバー１０の下縁部が台車Ｃの天板上に当接又は近接するように使用されるものであってもよい。
【符号の説明】
【００３５】
１０  物品収容カバー
２０  おもて側シート
２５  自在被結合部
３０  裏側シート
３５  フラップ
３８  下縁部被結合部
４０  マチ用シート
４５  ファスナ
４８  下縁部フラップ
【図１Ａ】
0006385385.tif 000002
【図１Ｂ】
0006385385.tif 000003
【図２】
0006385385.tif 000004
【図３Ａ】
0006385385.tif 000005
【図３Ｂ】
0006385385.tif 000006
【図３Ｃ】
0006385385.tif 000007
【図４Ａ】
0006385385.tif 000008
【図４Ｂ】
0006385385.tif 000009